(57)【要約】【課題】広帯域無線通信システムにおいてレンジング処理を行う方法を提供する。【解決手段】端末が、レンジング要請メッセージを基地局に送信するステップと、前記基地局が、レンジング状態（Ranging Status）の原因（cause）情報を含むレンジング応答メッセージを端末に送信するステップと、を含む。【選択図】図６
2008109661.tif 000002
【特許請求の範囲】
【請求項１】
端末（mobile station）が、レンジング要請メッセージを基地局に送信するステップと、
前記基地局が、レンジング状態（Ranging Status）の原因（cause）情報を含むレンジング応答メッセージを前記端末に送信するステップと、
を含むことを特徴とする広帯域無線通信システムにおいてレンジング処理を行う方法。
【請求項２】
前記レンジング処理は、初期レンジング（initial ranging）処理、ハンドオーバレンジング（handover ranging）処理、位置更新レンジング（location update ranging）処理のうちのいずれか１つであることを特徴とする請求項１に記載の方法。
【請求項３】
前記レンジング応答メッセージは、端末の識別子、レンジング状態情報、レンジング状態の原因情報のうちの少なくとも１つを含むことを特徴とする請求項１に記載の方法。
【請求項４】
前記レンジング状態情報は、現在のレンジング状態を端末に通知するためのメッセージパラメーターであることを特徴とする請求項３に記載の方法。
【請求項５】
前記レンジング状態情報は、レンジング処理の継続進行を指示するための第１値（continue）、レンジング処理の中断を要請するための第２値（abort）、レンジング処理の成功を表すための第３値（success）のうちのいずれか１つを表すことを特徴とする請求項３に記載の方法。
【請求項６】
前記原因情報は、レンジングエラーが発生したとき、該エラーの原因を端末に通知するためのメッセージパラメーターであることを特徴とする請求項１に記載の方法。
【請求項７】
前記原因情報は、該当ＦＡ（Frequency Allocation）の資源不足を表すための第１値（out of resource）、該当端末に対して該当基地局により他のレンジング処理が行われている途中であることを表すための第２値（busy）、レンジング要請メッセージのパラメーターが無効であることを表すための第３値（invalid parameter）、該当基地局のサービス不可を表すための第４値（out of service）、のうちのいずれか１つを表すことを特徴とする請求項１に記載の方法。
【請求項８】
端末（mobile station）からレンジング要請メッセージが受信されているか否かを検査するステップと、
前記レンジング要請メッセージを受信すると、レンジング状態情報と該レンジング状態情報の原因情報を決定するステップと、
前記決定されたレンジング状態情報と前記原因情報とを含むレンジング応答メッセージを生成するステップと、
前記生成されたレンジング応答メッセージを前記端末に送信するステップと、
を含むことを特徴とする広帯域無線通信システムにおける基地局の通信方法。
【請求項９】
前記レンジング要請メッセージは、初期レンジング処理、ハンドオーバレンジング処理、位置更新レンジング処理のうちのいずれか１つのためのものであることを特徴とする請求項８に記載の通信方法。
【請求項１０】
前記レンジング状態情報は、レンジング処理の継続進行を指示するための第１値、レンジング処理の中断を要請するための第２値、レンジング処理の成功を表すための第３値のうちのいずれか１つを表すことを特徴とする請求項８に記載の通信方法。
【請求項１１】
前記原因情報は、該当ＦＡ（Frequency Allocation）の資源不足を表すための第１値（out of resource）、該当端末に対して該当基地局により他のレンジング処理が行われている途中であることを表すための第２値（busy）、レンジング要請メッセージのパラメーターが無効であることを表すための第３値（invalid parameter）、該当基地局のサービス不可を表すための第４値（out of service）、のうちのいずれか１つを表すことを特徴とする請求項８に記載の通信方法。
【請求項１２】
基地局にレンジング要請メッセージを送信するステップと、
前記基地局からレンジング状態の原因情報を含むレンジング応答メッセージを受信するステップと、
を含むことを特徴とする広帯域無線通信システムにおける端末（mobile station）の通信方法。
【請求項１３】
前記レンジング要請メッセージは、初期レンジング処理、ハンドオーバレンジング処理、位置更新レンジング処理のうちのいずれか１つのためのものであることを特徴とする請求項１２に記載の通信方法。
【請求項１４】
前記受信されたレンジング応答メッセージ内のレンジング状態情報を確認するステップと、
前記レンジング状態情報が「継続（continue）」を表す場合、該当レンジング状態の原因情報を確認するステップと、
前記原因情報が「有効でないパラメーター（Invalid parameter）」を表す場合、レンジング要請メッセージのパラメーターを訂正するステップと、
をさらに含むことを特徴とする請求項１２に記載の通信方法。
【請求項１５】
前記原因情報が「ビジー（busy）」を表す場合、レンジング応答待機タイマーを更新するステップと、前記タイマーが駆動される待機時間の間、レンジング応答メッセージが受信されているか否かを検査するステップと、
をさらに含むことを特徴とする請求項１４に記載の通信方法。
【請求項１６】
前記受信されたレンジング応答メッセージ内のレンジング状態情報を確認するステップと、
前記レンジング状態情報が「中止（abort）」を表す場合、該当レンジング状態の原因情報を確認するステップと、
前記原因情報が「サービス不可（out of service）」を表す場合、他の基地局を探索するステップと、
前記探索された他の基地局にレンジング要請メッセージを送信するステップと、
をさらに含むことを特徴とする請求項１２に記載の通信方法。
【請求項１７】
前記原因情報が「資源不足（out of resource）」を表す場合、前記基地局の他のＦＡ（Frequency Allocation）を探索するステップと、
前記探索された他のＦＡを使用してレンジング要請メッセージを送信するステップと、
をさらに含むことを特徴とする請求項１６に記載の通信方法。
【請求項１８】
前記受信されたレンジング応答メッセージ内のレンジング状態情報を確認するステップと、
前記レンジング状態情報が「成功（success）」を表す場合、残りのネットワーク進入手順を実行するステップと、
をさらに含むことを特徴とする請求項１２に記載の通信方法。
【請求項１９】
前記レンジング状態情報は、レンジング処理の継続進行を指示するための第１値、レンジング処理の中断を要請するための第２値、レンジング処理の成功を表すための第３値のうちのいずれか１つを表すことを特徴とする請求項１２に記載の通信方法。
【請求項２０】
前記原因情報は、該当ＦＡ（Frequency Allocation）の資源不足を表すための第１値（out of resource）、該当端末に対して該当基地局により他のレンジング処理が行われている途中であることを表すための第２値（busy）、レンジング要請メッセージのパラメーターが無効であることを表すための第３値（invalid parameter）、該当基地局のサービス不可を表すための第４値（out of service）、のうちのいずれか１つを表すことを特徴とする請求項１２に記載の通信方法。
【請求項２１】
無線通信網のサービス領域(coverage area)内の複数の端末（mobile station）と通信を行うための複数の基地局を含み、
前記複数の基地局のうちのいずれか１つの基地局は、複数の端末のうちのいずれか一つからレンジング要請メッセージが受信されているか否かを確認し、前記レンジング要請メッセージが受信されると、レンジング状態と該レンジング状態の原因とを決定し、該決定されたレンジング状態情報と原因情報とを含むレンジング応答メッセージを生成し、該生成されたレンジング応答メッセージを前記複数の端末のうちのいずれか１つに送信するように実行可能とされたこと
を特徴とする無線通信網。
【請求項２２】
前記レンジング要請メッセージは、初期レンジング処理、ハンドオーバレンジング処理、位置更新レンジング処理のうちのいずれか１つのためのものであることを特徴とする請求項２１に記載の無線通信網。
【請求項２３】
前記レンジング状態情報は、レンジング処理の継続進行を指示するための第１値（continue）、レンジング処理の中断を要請するための第２値（abort）、レンジング処理の成功を表すための第３値（success）のうちのいずれか１つを表すことを特徴とする請求項２１に記載の無線通信網。
【請求項２４】
前記原因情報は、該当ＦＡ（Frequency Allocation）の資源不足を表すための第１値（out of resource）、該当端末に対して前記いずれか１つの基地局により他のレンジング処理が行われている途中であることを表すための第２値（busy）、レンジング要請メッセージのパラメーターが無効であることを表すための第３値（invalid  parameter）、該当基地局のサービス不可を表すための第４値（out of service）、のうちのいずれか１つを表すことを特徴とする請求項２１に記載の無線通信網。
【発明の詳細な説明】
【技術分野】
【０００１】
本発明は、広帯域無線通信システムにおいてレンジングを行う方法に関し、特に、広帯域無線通信システムにおいて発生したレンジングエラーの状況に対処するための方法に関する。
【背景技術】
【０００２】
ＷｉＢｒｏ（Wireless Broadband）システムは、ＩＥＥＥ（Institute of Electrical and Electronics Engineers）８０２．１６ｅを基盤とするシステムであって、移動性を有する広帯域無線通信を指向する。しかしながら、ＩＥＥＥ８０２．１６ｅシステムを用いる端末（mobile station）と基地局（base station）との間のレンジング過程で、エラーが発生し得る問題点がある。
【０００３】
まず、図１を参照して、初期レンジング（initial ranging）過程を説明する。
【０００４】
図１は、端末が基地局にネットワーク進入する場合の正規の処理動作を示す図である。図１を参照すると、基地局は、端末にプリアンブル（preamble）、ＦＣＨ（Frame Control Header）、ＤＬ（DownLink）ＭＡＰ、ＵＬ（UpLink）ＭＡＰを送信し、さらに、端末にＤＣＤ／ＵＣＤ（Downlink Channel Descriptor/Uplink Channel Descriptor）メッセージを送信する。なお、プリアンブル及びＤＣＤ／ＵＣＤメッセージについての詳細な説明は省略する。一方、端末は、基地局から受信されたメッセージから、アップリンクチャネル特性情報、初期レンジングに関連したパラメーターなどを獲得する。
【０００５】
その後、端末は、レンジング要請（ＲＡＮＧＩＮＧ  ＲＥＱＵＥＳＴ）メッセージを基地局に送信し、これに応答して基地局は、レンジング応答（ＲＡＮＧＩＮＧ  ＲＥＳＰＯＮＳＥ）メッセージを端末に送信する。このレンジング応答メッセージを受信した後に、端末は、残りのネットワーク進入手続（処理）を遂行して基地局に接続する。このネットワーク進入手続（処理）には、例えば、基本能力交渉手続、認証処理、登録処理などがある。
【０００６】
以下、図２を参照して、ハンドオーバレンジングの過程について説明する。
【０００７】
図２を参照すると、端末は、サービング（serving）基地局からターゲット基地局へのハンドオーバのために、サービング基地局との間で、ＭＯＢ＿ＭＳＨＯ−ＲＥＱ、ＭＯＢ＿ＢＳＨＯ−ＲＳＰ、ＭＯＢ＿ＢＳＨＯ−ＲＥＱ、ＭＯＢ＿ＨＯ−ＩＮＤ、などのＭＡＣ（Media Access Control）管理メッセージ（management message）を送受信（交換）する。上記の羅列されたメッセージは、新たな基地局の情報を含んでおり、端末がサービング基地局からターゲット基地局へ移動（ハンドオーバ）するのに用いられる。そして、端末は、ターゲット基地局へのハンドオーバを行うために、ターゲット基地局との間で、レンジング要請メッセージ及びレンジング応答メッセージの送受信（交換）を行う。
【０００８】
基地局から端末に送信するダウンリンクフレーム内に含まれる制御情報の一部として、ＵＬ  ＭＡＰが用いられる。該ＵＬ  ＭＡＰは、端末がアップリンクフレームに送信するトラフィック及びメッセージに対する資源を割り当てるために使用されるものであって、端末がこれにより上記トラフィック及びメッセージを正確に変調し送信できるようにするための情報を含む。また、ＵＬ  ＭＡＰは、ＩＥ（Information Element）形態のデータフォーマットを有する。サービング基地局は、端末が現在サービスを提供される基地局であって、ソース基地局（Source BS）とも呼ばれる。また、ターゲット基地局は、端末がハンドオーバ過程を通じて遷移しようとする新たな基地局である。また、推薦（Recommended）基地局は、サービング基地局から端末に伝達されるパラメーターの中で、端末がハンドオーバを介して移動できる、サービング基地局以外の他の基地局を意味する。また、レンジングは、端末が基地局へのアップリンク送信に必要なパラメーター（例えば、時間オフセット、及び周波数オフセット）を獲得する過程のことをいう。また、ＭＯＢ＿ＭＳＳＨＯ−ＲＥＱは、端末がサービング基地局から他の基地局へのハンドオーバを行うために、端末が測定した隣接（Neighbor）基地局情報をサービング基地局に伝達する目的で用いられるＭＡＣ階層（Layer）のメッセージである。また、ＭＯＢ＿ＢＳＨＯ−ＲＥＱは、サービング基地局が端末のハンドオーバ動作を誘発させるために送信するＭＡＣ階層のメッセージである。また、ＭＯＢ＿ＢＳＨＯ−ＲＳＰは、サービング基地局が、端末のＭＯＢ＿ＭＳＨＯ−ＲＥＱメッセージに対する応答として、端末に伝達する応答メッセージであって、推薦基地局のパラメーターを含む。また、ＭＯＢ＿ＨＯ−ＩＮＤは、端末が自身の移動する最終ターゲット基地局の情報をサービング基地局に伝達するために用いられるアップリンクメッセージである。また、ＮＢＲ＿ＡＤＶは、基地局が一定周期ごとに自己領域内のすべての端末に送信するブロードキャスト（broadcast）メッセージであって、該当基地局の隣接基地局リストを端末に知らせるために用いられる。
【０００９】
しかしながら、チャネル状況が悪い場合に、端末は、レンジングを行う際に、基地局のレンジング応答メッセージを受信できない場合があり、この場合、「レンジングエラーの発生」と呼ばれる。
【００１０】
図３を参照して、ハンドオーバの際のレンジングエラーが発生した場合について、詳細に説明する。
【００１１】
図３を参照すると、基地局は、周期的にＮＢＲ＿ＡＤＶを送信して、端末に当該基地局の周囲に存する隣接基地局のリストを通知する。端末は、サービング基地局の電波環境が劣化した場合に、電波環境がより良い基地局を検知するために、サービング基地局にＭＯＢ＿ＭＳＨＯ−ＲＥＱメッセージを送信する。このメッセージを受信したサービング基地局は、端末にＭＯＢ＿ＢＳＨＯ−ＲＳＰメッセージを送信して、推薦基地局を当該端末に知らせる。端末は、ターゲット基地局がサービング基地局よりも良い電波環境であると判断すれば、サービング基地局にＭＯＢ＿ＨＯ−ＩＮＤメッセージを送信し、ターゲット基地局への移動（すなわちハンドオーバ）を試みる。その後、端末は、ターゲット基地局にレンジング要請メッセージを送信して、ターゲット基地局に自機がどの基地局から移動した端末であるかを知らせる。このレンジング要請メッセージを受信したターゲット基地局は、新しい接続情報を知らせるために、レンジング応答メッセージを端末に送信する。しかしながら、チャネル状況が良くない場合には、端末は、ターゲット基地局からのレンジング応答メッセージを受信することができず、これによりレンジングエラーが発生する。
【００１２】
参考のために、端末のレンジング過程を、表１〜表５を参照して詳細に説明すると、次のとおりである。
【００１３】
表１は、端末のレンジング過程のための帯域要請ヘッダフォーマットを表したものである。
【００１４】
【表１】
2008109661.tif 000003
【００１５】
また、表２は、帯域要請ヘッダフィールドを詳細に表したものである。
【００１６】
【表２】
2008109661.tif 000004
【００１７】
また、表３は、ＭＡＣ管理メッセージフォーマットを表したものである。
【００１８】
【表３】
2008109661.tif 000005
【００１９】
また、表４は、ＭＡＣ管理メッセージを表したものである。
【００２０】
【表４】
2008109661.tif 000006
【００２１】
表５は、既存のレンジング応答メッセージフォーマットを表したものである。
【００２２】
【表５】
2008109661.tif 000007
【００２３】
図１〜図３を参照して分かるように、従来では、端末が基地局にレンジング要請メッセージを送信した後、該基地局からレンジング応答メッセージを受信するときに、有効でない動作（invalid operation）に対して、基地局が端末にＮＡＫ（NAcKnowledge）信号を送信する機能がないことが分かる。例えば、基地局がレンジング応答メッセージを繰り返し再送信した後、当該レンジング応答メッセージの送信を失敗（fail）として処理した場合に、端末は、その送信失敗を知ることが出来ず、このために、端末は、基地局にレンジング要請メッセージを繰り返して送信することになる。これによって、アップリンク資源が非効率的に繰り返して占有されるという問題点がある。
【特許文献１】韓国特許公開公報２００７−６０８０７号明細書
【発明の開示】
【発明が解決しようとする課題】
【００２４】
そこで、本発明は、上記の問題を解決するためになされたものであって、その目的は、端末のレンジング過程中に発生し得るエラー状況に対して対処できる方法を提供することにある。
【００２５】
本発明の他の目的は、端末がレンジング要請メッセージを基地局に伝達したとき、基地局が、当該基地局の状況に適しているレンジング応答メッセージを端末に送信することによって、基地局資源を効率的に使用できるようにすることにある。
【００２６】
また、本発明の他の目的は、端末の初期レンジング過程中に発生し得るエラー状況及びその原因を基地局が端末に通知して、端末が適切に対処できるようにすることによって、初期レンジングが成功的に行われるようにする方法を提供することにある。
【００２７】
さらに、本発明の他の目的は、端末のハンドオーバ過程中に発生し得るエラー状況に関して基地局が通知するエラー状況別タイプを端末が判断して、端末が適切に対処できるようにすることによって、端末のスムーズなハンドオーバを可能にする方法を提供することにある。
【課題を解決するための手段】
【００２８】
上記の目的を達成すべく、本発明の一態様によれば、広帯域無線通信システムにおいてレンジング処理を行う方法であって、端末（mobile station）が、レンジング要請メッセージを基地局に送信するステップと、該基地局が、レンジング状態（Ranging Status）の原因（cause）情報を含むレンジング応答メッセージを当該端末に送信するステップと、を含むことを特徴とする。
【００２９】
本発明の他の態様によれば、広帯域無線通信システムにおける基地局の通信方法であって、端末（mobile station）からレンジング要請メッセージが受信されているか否かを検査するステップと、前記レンジング要請メッセージを受信すると、レンジング状態情報と該レンジング状態の原因情報を決定するステップと、該決定されたレンジング状態情報と前記原因情報とを含むレンジング応答メッセージを生成するステップと、前記生成されたレンジング応答メッセージを前記端末に送信するステップと、を含むことを特徴とする。
【００３０】
本発明のさらに他の態様によれば、広帯域無線通信システムにおける端末（mobile station）の通信方法であって、基地局にレンジング要請メッセージを送信するステップと、前記基地局からレンジング状態の原因情報を含むレンジング応答メッセージを受信するステップと、を含むことを特徴とする。
【発明の効果】
【００３１】
本発明によれば、広帯域無線通信システムにおいてレンジング処理中にエラーが発生した場合に、当該エラー状況を端末に通知することによって、端末が不必要にレンジング要請メッセージを再送信するのを防止することができる。すなわち、端末が不必要に資源を占有するのを防止することによって、資源浪費を減らすことができるという利点がある。
【発明を実施するための最良の形態】
【００３２】
以下、本発明の好ましい実施形態を、添付図面を参照しながら詳細に説明する。なお、本発明の説明にあたり、関連した公知機能又は構成に対する具体的な説明が本発明の要旨を不明瞭にすると判断される場合には、その詳細な説明を省略する。
【００３３】
本発明は、広帯域無線通信システムでレンジング処理を行う際の、レンジング応答メッセージのための多様なネガティブ応答（Nacknowledge）機能を提案する。
【００３４】
図４及び図５は、レンジング処理、すなわち初期レンジング処理及びハンドオーバ時のレンジング処理中にエラーが発生したときのネガティブ応答を具体化した呼処理シナリオを示す。図４及び図５の新たな呼処理シナリオを実行するために、表６の従来定義されているレンジング状態パラメーターと、本発明で新たに提案する原因パラメーターとを使用することができる。
【００３５】
下記の表６は、図４及び図５のレンジング応答（ＲＡＮＧＩＮＧ  ＲＥＳＰＯＮＳＥ）メッセージのネガティブ応答機能を提供するためのパラメーター、すなわち、レンジング状態パラメーター及び原因パラメーターの詳細内容であるＴｙｐｅ、Ｌｅｎｇｔｈ、Ｖａｌｕｅを表している。
【００３６】
【表６】
2008109661.tif 000008
【００３７】
以下、表６を参照して、レンジング応答メッセージのためのネガティブ応答機能について詳細に説明する。
【００３８】
第１に、端末（mobile station）がレンジング要請（ＲＡＮＧＩＮＧ  ＲＥＱＵＥＳＴ）メッセージを送信したとき、端末により要求された周波数（ＦＡ：Frequency Allocation）の無線資源が既に全て占有されているがために、基地局が該要求された周波数帯域を端末に割り当てることができない場合がある。この場合に、基地局は、レンジング応答メッセージの「Ｒａｎｇｉｎｇ  Ｓｔａｔｕｓ」（レンジング状態）パラメーターの値を「ａｂｏｒｔ」（中止）に、「Ｃａｕｓｅ」（原因）パラメーターの値を「ｏｕｔ  ｏｆ  ｒｅｓｏｕｒｃｅ」（資源不足）に設定する。したがって、このレンジング応答メッセージを基地局から受信した端末は、「Ｒａｎｇｉｎｇ  Ｓｔａｔｕｓ」パラメーター及び「Ｃａｕｓｅ」パラメーターの設定が「ａｂｏｒｔ」及び「ｏｕｔ  ｏｆ  ｒｅｓｏｕｒｃｅ」であることを確認することにより、該当周波数（ＦＡ）に無線資源の余裕がないことを認識する。これにより、端末は、当該基地局に対して、当該レンジング要請メッセージを送信し続けることをせずに、他の周波数（ＦＡ）を要請するためのレンジング要請メッセージを送信する。
【００３９】
第２に、端末がレンジング要請メッセージを送信したときに、基地局のすべての資源（例えば、周波数又は周波数帯域の無線資源、ＩＰ資源など）が使い尽くされて枯渇しているがために、レンジング要請メッセージに応答して新たな端末にこれ以上資源を割り当てることが難しい場合がある。この場合には、基地局は、レンジング応答メッセージの「Ｒａｎｇｉｎｇ  Ｓｔａｔｕｓ」パラメーターの値を「ａｂｏｒｔ」に、「Ｃａｕｓｅ」パラメーターの値を「ｏｕｔ  ｏｆ  ｓｅｒｖｉｃｅ」（サービス不可）に設定する。したがって、このレンジング応答メッセージを基地局から受信した端末は、「Ｒａｎｇｉｎｇ  Ｓｔａｔｕｓ」パラメーター及び「Ｃａｕｓｅ」パラメーターの設定が「ａｂｏｒｔ」及び「ｏｕｔ  ｏｆ  ｓｅｒｖｉｃｅ」であることを確認することにより、当該基地局の資源が不足していることを認識する。これにより、端末は、当該基地局にレンジング要請メッセージを送信し続けることをせずに、他の基地局にレンジング要請メッセージを送信する。
【００４０】
第３に、端末がレンジング要請メッセージを送信したときに、基地局が当該端末に対して他の演算（operation）を行っている最中である場合がある。例えば、基地局が端末に対してレンジング応答メッセージを送信しようとしている一方で、当該端末は、レンジング応答待機タイマーによってレンジング応答メッセージを受信することができなかったと判断して、レンジング要請メッセージを再送信する場合がある。この場合に、基地局は、レンジング応答メッセージの「Ｒａｎｇｉｎｇ  Ｓｔａｔｕｓ」パラメーター値を「ｃｏｎｔｉｎｕｅ」（継続）に、「Ｃａｕｓｅ」パラメーター値を「Ｂｕｓｙ」（ビジー）に設定する。したがって、このレンジング応答メッセージを基地局から受信した端末は、「Ｒａｎｇｉｎｇ  Ｓｔａｔｕｓ」パラメーター及び「Ｃａｕｓｅ」パラメーターの設定が「ｃｏｎｔｉｎｕｅ」及び「Ｂｕｓｙ」であることを確認することにより、当該基地局が他の演算を行っている途中であることを認識する。これにより、端末は、レンジング応答待機タイマーを更新し、基地局からレンジング応答メッセージを受信するのを待つ。その後、端末は、レンジング応答メッセージの受信に失敗した場合に、レンジング要請メッセージを基地局に再送信する。
【００４１】
第４に、基地局が端末からのレンジング要請メッセージを受信したときに、メッセージに有効でないパラメーターがある、と基地局により判断される場合がある。この場合に、基地局は、レンジング応答メッセージの「Ｒａｎｇｉｎｇ  Ｓｔａｔｕｓ」パラメーター値を「ｃｏｎｔｉｎｕｅ」（継続）に、「Ｃａｕｓｅ」パラメーター値を「ｉｎｖａｌｉｄ  ｐａｒａｍｅｔｅｒ」（有効でないパラメーター）に設定する。したがって、このレンジング応答メッセージを基地局から受信した端末は、「Ｒａｎｇｉｎｇ  Ｓｔａｔｕｓ」パラメーター及び「Ｃａｕｓｅ」パラメーターの設定が「ｃｏｎｔｉｎｕｅ」及び「ｉｎｖａｌｉｄ  ｐａｒａｍｅｔｅｒ」であることを確認することにより、有効でないパラメーターが存在することを認識する。これにより、端末は、有効でないパラメーターを訂正して、基地局にレンジング要請メッセージを再送信する。
【００４２】
以下、図面を参照しつつ具体的な実施形態を説明する。
【００４３】
図４は、本発明の実施形態による広帯域無線通信システムにおける、初期レンジング処理を示している。
【００４４】
図４に示すように、まず端末は、基地局から送信されるダウンリンクプリアンブルを受信してシステム同期を獲得し、さらに、該基地局からＦＣＨ（Frame Control Header）、ＤＬ（DownLink）／ＵＬ（UpLink）ＭＡＰメッセージを受信する（ステップＳ４０１）。このとき、端末は、受信されたＤＬ／ＵＬ  ＭＡＰメッセージを解析して、ＤＣＤ（Downlink Channel Describtor）／ＵＣＤ（Uplink Channel Describtor）メッセージの割り当て資源を確認する。
【００４５】
その後、端末は、確認された割り当て資源を使用して、基地局からＤＣＤ／ＵＣＤメッセージを受信する（ステップＳ４０３）。このとき、端末は、ＤＣＤ／ＵＣＤメッセージからダウンリンクチャネル特定情報、アップリンクチャネル特性情報、及び初期レンジングに必要なパラメーターを獲得する。
【００４６】
端末は、基地局と通信できるだけの最小限のアップリンクチャネル情報及びダウンリンクチャネル情報を当該基地局から獲得すれば、これを用いて基地局に対して基本的な接続処理（手続）を行うことができる。したがって、端末は、基地局にレンジング要請メッセージを送信する（ステップＳ４０５）。
【００４７】
そして、基地局は、このレンジング要請メッセージに対する応答として、レンジング応答メッセージを端末に送信する（ステップＳ４０７）。このとき、本発明の実施形態によるレンジング応答メッセージは、表６に示すようなレンジング状態（Ｒａｎｇｉｎｇ  Ｓｔａｔｕｓ）情報と、原因（Ｃａｕｓｅ）情報と、を含む。
【００４８】
その後、端末は、レンジング応答メッセージを分析して、レンジング状態と当該レンジング状態に応じた原因を確認し、該確認された原因に応じた対処の動作を実行する（ステップＳ４０９）。かかる原因に応じた対処動作については、後に、図６を参照して詳細に説明する。
【００４９】
図５は、本発明の実施形態による広帯域無線通信システムにおけるハンドオーバレンジング処理を示している。
【００５０】
図５に示すように、まず端末は、サービング（serving）基地局から、周辺基地局の情報を含む近隣広告（ＮＢＲ＿ＡＤＶ（Neighbor Advertisement））メッセージを受信する（ステップＳ５０１）。
【００５１】
そして、端末は、この近隣広告メッセージの情報を基に、周辺基地局をスキャニングする。このとき、端末は、自機とサービング基地局との電波環境が劣化したことを感知する（ステップＳ５０３）。すなわち、端末は、ハンドオーバの必要性を認識する。
【００５２】
そして、ハンドオーバが必要であると判断した端末は、ハンドオーバ要請（ＭＯＢ＿ＭＳＨＯ−ＲＥＱ）メッセージをサービング基地局に送信する（ステップＳ５０５）。
【００５３】
このハンドオーバ要請メッセージを受信したサービング基地局は、これに対する応答として、ハンドオーバ応答（ＭＯＢ＿ＭＳＨＯ−ＲＳＰ）メッセージを端末に送信する（ステップＳ５０７）。ここで、ハンドオーバ応答メッセージは、当該端末に推薦するハンドオーバ候補基地局のリストを含む。
【００５４】
その後、端末は、ハンドオーバするターゲット基地局を決定し、該ターゲット基地局の情報を含むハンドオーバ指示（ＭＯＢ＿ＭＳＨＯ−ＩＮＤ）メッセージをサービング基地局に送信する（ステップＳ５０９）。
【００５５】
ハンドオーバが最終決定されると、端末は、ターゲット基地局にハンドオーバレンジング要請メッセージを送信する（ステップＳ５１１）。
【００５６】
このレンジング要請メッセージを受信したターゲット基地局は、これに対する応答として、レンジング応答メッセージを端末に送信する（ステップＳ５１３）。このとき、レンジング応答メッセージは、本発明の実施形態では、表６に示すように、レンジング状態（Ｒａｎｇｉｎｇ  Ｓｔａｔｕｓ）情報と、レンジング状態の原因（Ｃａｕｓｅ）情報と、を含む。
【００５７】
その後、端末は、レンジング応答メッセージを分析して、レンジング状態と当該レンジング状態による原因を確認し、該確認された原因に応じた対処を行う（ステップＳ５１５）。かかる原因に応じた対処動作は、後に図６を参照して詳細に説明する。
【００５８】
上述した図４及び図５を参照した説明は、初期レンジング処理及びハンドオーバレンジング処理についての説明であるが、本発明は、位置更新レンジング処理にも同様に適用されることができる。
【００５９】
図６は、本発明の実施形態による広帯域無線通信システムにおける端末の動作手順を示している。
【００６０】
図６に示すように、まず端末は、ステップＳ６０１で、基地局にレンジング要請メッセージを送信する。このレンジング要請メッセージは、初期レンジング、ハンドオーバレンジング、又は位置更新レンジングのために基地局に送信されるメッセージである。
【００６１】
レンジング要請メッセージを送信した後、端末は、ステップＳ６０３に移行して、基地局からレンジング応答メッセージを受信する。ここで、本実施形態のレンジング応答メッセージは、表６に示すようなレンジング状態（Ｒａｎｇｉｎｇ  Ｓｔａｔｕｓ）情報と該レンジング状態の原因（Ｃａｕｓｅ）情報とを含む。
【００６２】
レンジング応答メッセージが受信されると、端末は、ステップＳ６０５に移行して、レンジング応答メッセージを分析する。このとき、端末は、レンジング応答メッセージ内のレンジング状態情報が「継続（ｃｏｎｔｉｎｕｅ）」であるか否かを検査する。
【００６３】
もしも、レンジング状態情報が「継続」である場合には、端末は、ステップＳ６０７に移行して、このレンジング状態（継続）の原因情報を確認する。
【００６４】
このとき、確認された原因情報が「有効でないパラメーター（Ｉｎｖａｌｉｄ  Ｐａｒａｍｅｔｅｒ）」を表す場合には、端末は、ステップＳ６０９に移行して、レンジング要請メッセージに含まれるパラメーターを訂正し、その後、再びレンジング要請メッセージを送信するためにステップＳ６０１に戻る。
【００６５】
一方、ステップＳ６０７において原因情報が「ビジー（ｂｕｓｙ）」と判断された場合には、端末は、ステップＳ６１１に移行して、レンジング応答待機タイマーを更新し、このタイマーが駆動される間にレンジング応答メッセージの受信を待つ。
【００６６】
そして、端末は、ステップＳ６１３に移行して、レンジング応答メッセージが受信されたか否かを検査する。もしも、レンジング応答メッセージが受信されていない場合には、端末は、レンジング要請メッセージを再送信するために、ステップＳ６０１に戻る。
【００６７】
他方、ステップＳ６１３の検査の結果、レンジング応答メッセージが受信されている場合には、端末は、ステップＳ６１５に移行して、残りのネットワーク進入（又は再進入）手順を実行する。
【００６８】
一方、ステップＳ６０５の分析の結果、レンジング状態情報が「中止（ａｂｏｒｔ）」を表す場合には、端末は、ステップＳ６１７に移行して、このレンジング状態（中止）の原因情報を確認する。
【００６９】
このとき、原因情報が「サービス不可（Ｏｕｔ  ｏｆ  ｓｅｒｖｉｃｅ）」を表す場合、端末は、ステップＳ６１９に移行して他の基地局を探索し、次のステップＳ６２１において、当該他の基地局にレンジング要請メッセージを送信する。
【００７０】
他方、ステップＳ６１７の確認の結果、原因情報が「資源不足（Ｏｕｔ  ｏｆ  Ｒｅｓｏｕｒｃｅ）」を表す場合には、端末は、ステップＳ６２３に移行して、当該基地局の他のＦＡ（Frequency Allocation）を探索し、次のステップＳ６２５で当該他のＦＡを使用してレンジング要請メッセージを該基地局に送信する。
【００７１】
一方、ステップＳ６０５の分析の結果、レンジング状態情報が「成功（ｓｕｃｃｅｓｓ）」を表す場合には、端末は、ステップＳ６２７に移行して、残りのネットワーク進入（又は再進入）手順を実行する。
【００７２】
上述のように、本発明の実施の形態では、レンジング応答メッセージに対する４種類のネガティブ応答機能を実現することによって、レンジングエラーの発生時に、当該エラーに応じた適切な対処を端末が行うことが可能になる。
【００７３】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００７４】
【図１】端末と基地局との間の基本的なネットワーク進入手続を示す図である。
【図２】端末と基地局との間の従来のハンドオーバレンジング処理の手順を示す図である。
【図３】ハンドオーバレンジングエラーの発生を示す図である。
【図４】本発明による基地局の、初期レンジングエラーが発生したときの動作を示す図である。
【図５】本発明による基地局の、ハンドオーバレンジングエラーが発生したときの動作を示すフローチャートである。
【図６】本発明による、各レンジングエラーに対処するための端末の動作を示すフローチャートである。
【図１】
2008109661.tif 000009
【図２】
2008109661.tif 000010
【図３】
2008109661.tif 000011
【図４】
2008109661.tif 000012
【図５】
2008109661.tif 000013
【図６】
2008109661.tif 000014